(57)【特許請求の範囲】
【請求項１】
前面パネルの上部に取出し用の開口が形成され、後面パネルに連設する天面パネルに連設された開閉パネルにより前面パネルの開口を覆うように蓋がされる薄型カートンであって、後面パネルには、上辺から下がったところで且つ両側辺から内側の範囲で横方向の折線からなるヒンジ部が設けられ、そのヒンジ部の両端からそれぞれ斜め上方に向かうミシン目が設けられており、それらのミシン目の先端は、それぞれ後面パネルと天面パネルの境界にある折罫の両端部分に形成された切線に繋がっており、前面パネルの開口は、前面パネルの上辺両サイド付近から中ほどに渡ってＵ字型にくり抜いた形状で、その開口の下側端縁は内向きに湾曲した凸形状になっており、開閉パネルにはその先端に、前面パネルの開口における凸形状の下側端縁に背面から係止可能な突起部分とその突起部分を囲む帯状の摘み部分を設けられており、摘み部分を摘んで引き上げて開閉パネルを開けると、開閉パネルは天面パネルとともに回動し、その動きに伴って後面パネルにおける斜めのミシン目の部分が破断され、後面パネルにおいて横方向のヒンジ部と斜めのミシン目とで囲まれた部分が天面パネル及び開閉パネルとともにヒンジ部のところで後側に回動することで上部が大きく開いた状態で開封されることを特徴とする薄型カートン。
【発明の詳細な説明】
【技術分野】
【０００１】
本発明は、板紙で構成された包装容器であるカートンの技術分野に属し、詳しくは、前面パネルの上半部分を大きく開けるタイプの薄型カートンに関する。
【背景技術】
【０００２】
従来より、棒状のチョコレート、板ガムなどのスティック包装物を収納して販売するための包装容器として、前面パネルの略上半部分覆っている開閉パネルの先端を摘んで持ち上げ、上半部分を大きく開けた状態で中身を取り出すようになった薄型カートンが広く用いられている。このような薄型カートンとしては、前面パネルの上部に大きな開口があり、それを開閉パネルが覆っているタイプと、前面パネルに形成されている切れ目線で区画された開口部分が前面パネルから切り離されて開閉パネルの裏側に貼着して持ち去られ、前面パネルに大きな開口が形成されるタイプとがあり、いずれのタイプでも開閉パネル先端の突起部分を前面パネルのスリットに差し込んでリクローズするようになっている。また、後者はバージン性があるためカバーフィルムが覆う必要はないが、前者は全体をフィルム包装するか或いは開閉パネル先端をラベル貼りする必要がある。
【先行技術文献】
【特許文献】
【０００３】
【特許文献１】特開平１０−３５６５４号公報
【発明の概要】
【発明が解決しようとする課題】
【０００４】
上記のような薄型カートンは、開閉パネル先端の突起部分を前面パネルのスリットに差し込んでリクローズするようになっており、その差込み操作が面倒なことから、中身を少量取り出して蓋をする際の操作が煩わしいという問題がある。また、開閉パネルは後面パネルの上端をヒンジとして天面パネルとともに回動するため、開閉パネル全体を撓ませつつ先端の突起部分をスリットに上手く差し込む必要があり、特に高齢者にとっては蓋が閉じにくいという問題があった。
【０００５】
本発明は、上記のような問題に鑑みてなされたものであり、その目的とするところは、内容物を取り出した後のリクローズを簡単に行えるようにした薄型カートンを提供することにある。
【課題を解決するための手段】
【０００６】
上記の目的を達成するため、本発明の薄型カートンは、前面パネルの上部に取出し用の開口が形成され、後面パネルに連設する天面パネルに連設された開閉パネルにより前面パネルの開口を覆うように蓋がされる薄型カートンであって、後面パネルには、上辺から下がったところで且つ両側辺から内側の範囲で横方向の折線からなるヒンジ部が設けられ、そのヒンジ部の両端からそれぞれ斜め上方に向かうミシン目が設けられており、それらのミシン目の先端は、それぞれ後面パネルと天面パネルの境界にある折罫の両端部分に形成された切線に繋がっており、前面パネルの開口は、前面パネルの上辺両サイド付近から中ほどに渡ってＵ字型にくり抜いた形状で、その開口の下側端縁は内向きに湾曲した凸形状になっており、開閉パネルにはその先端に、前面パネルの開口における凸形状の下側端縁に背面から係止可能な突起部分とその突起部分を囲む帯状の摘み部分を設けられており、摘み部分を摘んで引き上げて開閉パネルを開けると、開閉パネルは天面パネルとともに回動し、その動きに伴って後面パネルにおける斜めのミシン目の部分が破断され、後面パネルにおいて横方向のヒンジ部と斜めのミシン目とで囲まれた部分が天面パネル及び開閉パネルとともにヒンジ部のところで後側に回動することで上部が大きく開いた状態で開封されることを特徴とする。
【発明の効果】
【０００７】
本発明の薄型カートンは、後面パネルの上辺から下がったところに横方向の折線からなるヒンジ部を設けたことにより、開閉パネルを大きく撓ませなくても先端の突起部分を前面パネルの開口端縁に係止することができるようになり、しかも、開閉パネルの突起部分を前面パネルの開口端縁に係止するに際しては、開閉パネル先端の摘み部分を持ちながら突起部分を前面パネルの開口端縁に背面から差し込めばよいことから、高齢者を始めとして誰がやっても簡単な操作でリクローズすることができる。
【図面の簡単な説明】
【０００８】
【図１】本発明に係る薄型カートンの一例を示す示す斜視図である。
【図２】図１の薄型カートンを形成するブランクの展開図である。
【図３】図１の薄型カートンを開けた状態で示す斜視図である。
【図４】開けた薄型カートンをリクローズする様子を示す説明図である。
【発明を実施するための形態】
【０００９】
次に、本発明の実施形態について図面を参照しながら詳細に説明する。
【００１０】
図１に示す薄型カートンＣは、紙器用の板紙を打ち抜いて形成された図２に示す１枚ブランクＢを組み立てて形成される。
【００１１】
ブランクＢは、図２に示すように、互いに平行な折罫ａ，ｂ，ｃ，ｄを介して、前面パネル１１、側面パネル１２、後面パネル１３、側面パネル１４、糊代片１５がこの順で連設されており、前面パネルの下辺には、折罫ｃ，ｄを介して底面パネル１６、差込みパネル１７が順次連設され、後面パネル１３の上辺には、折罫ｅ，ｆを介して天面パネル１８、開閉パネル１９が順次連設されている。また、側面パネル１２の上下には、折罫ｇ，ｈを介してそれぞれ上側折込みフラップ２０、下側折込みフラップ２１が連設され、側面パネル１４の上下には、折罫ｉ，ｊを介してそれぞれ上側折込みフラップ２２、下側折込みフラップ２３が連設されている。
【００１２】
前面パネル１１には、上部に取出し用の大きな開口１１ａが形成されている。この例では、前面パネル１１の上辺両サイド付近から中ほどに渡ってＵ字型にくり抜いた形状で開口１１ａを形成しており、その開口１１ａの下側端縁は図示の如く内向きに僅かに湾曲した凸形状としている。
【００１３】
後面パネル１３には、その上辺から若干下がったところで且つ両側辺から若干内側の範囲で横方向に形成され、その両端からそれぞれ斜め上方に向かう、全体がＵ字状のミシン目αが設けられており、このミシン目αの両方の先端は、それぞれ折罫ｅの両端部分に形成された切線βに繋がっている。
【００１４】
開閉パネル１９は、前面パネル１１の開口１１ａを覆うサイズである。そして、その開閉パネル１９の先端には、折罫ｋを介して半円状の突起部分１９ａとそれを囲む状態で半リング状の帯状の摘み部分１９ｂが形成されている。この開閉パネル１９の突起部分１９ａは、開閉パネル１９を前面パネル１１に被せたときに、前面パネル１１の開口１１ａにおける凸形状の下側端縁に背面から係止可能な位置に設けられている。
【００１５】
このブランクＢは、サック貼りしたものを充填工程に送り、そこで内容物を充填しつつ組み立てる。その手順は次のようである。
【００１６】
まず第一に、折罫ａ，ｃ或いは折罫ｂ，ｄのところで、ブランクＢを畳むようにして折り曲げ、糊を塗布してある糊代片１５を前面パネル１１における側端部分の裏側に貼り合わせてサック貼りし、このようにサック貼りしたブランクＢを複数枚まとめて充填工程に送る。
【００１７】
充填工程では、サック貼りしたブランクＢを偏平な角筒状に起こしてから、両サイドの下側折込みフラップ２１，２３を内側に折り曲げた状態で差込みパネル１７と底面パネル１６を順次折り曲げつつ、差込みパネル１７を後面パネル１３の裏側に押し込むことで底部を閉鎖する。このように底部を閉鎖した後、上部から内容物を入れ、両サイドの上側折込みフラップ２０，２２を内側に折り曲げた状態で開閉パネル１９と天面パネル１８を順次折り曲げつつ、開閉パネル１９の摘み片１９ｂを持ち上げるように把持して突起部分１９ａを前面パネル１１における開口１１ａの下側端縁の裏側に差し込んで蓋をする。これにより、図１に示す薄型カートンＣが組み立てられる。そして、バージン性を持たせて店頭販売に供するため、カートン全体をフィルム包装するか、開閉パネル１９の先端に被さるようにラベル貼りする。
【００１８】
なお、図１の薄型カートンＣでは、開閉パネル１９の突起部分１９ａを前面パネル１１の裏側に差し込んで引っ掛けた状態としたが、店頭販売に供するためには、上記のようにフィルム包装するかラベル貼りした状態とするので、必ずしも開閉パネル１９の突起部分１９ａを引っ掛ける必要はない。
【００１９】
この薄型カートンＣは、店頭で購入した後、内容物を取り出すに際しては、まずフィルム包装を剥がすかバージンラベルを取り除く。そして、摘み部分１９ａを指先で摘んで引き上げることで開閉パネル１９を開け、所定量の内容物を取り出す。このとき、開閉パネル１９は天面パネル１８とともに回動するが、その動きに伴って後面パネル１３のミシン目αにおける斜め上方に向かう左右の部分が破断され、後面パネル１３においてＵ字状のミシン目αで囲まれた部分が天面パネル１８及び開閉パネル１９とともに、当該ミシン目αの横方向の部分をヒンジとして後側に大きく回動し、図３に示すように、薄型カートンＣは上部が大きく開いた状態で開封される。なお、図３では簡略化のため内容物を図示していない。
【００２０】
上記のように薄型カートンＣを開封し、その上部から内容物を必要なだけ取り出した後、リクローズするに際しては、突起部分１９ａを囲むようにして設けられた摘み部分１９ｂを指先で摘んで折罫ｋで折り曲げつつ持ち上げながら、開閉パネル１９を手前に回動させて前面パネル１１の上に重ねるようにする。このとき、薄型カートンＣは、後面パネル１３の上辺から下がったところにあるミシン目αの横方向の部分が折線としてヒンジ部となるので、開閉パネル１９を大きく撓ませなくても先端の突起部分１９ａを前面パネル１１の開口１１ａの下側端縁に近づけることができ、摘み部分１９ｂを持ったままで、図４に示すように、突起部分１９ａを前面パネル１１の開口端縁に対して背面から簡単に差し込むことができる。
【００２１】
以上、本発明を実施するための形態について詳細に説明してきたが、本発明による薄型カートンは、上記の形態に何ら限定されるものではなく、本発明の趣旨を逸脱しない範囲において種々の変更が可能であることは当然のことである。
【００２２】
例えば、上記の例では、前面パネルの上部に大きな開口があり、それを開閉パネルが覆っているタイプの薄型カートンを例に挙げたが、別の形態としては、特開平１０−３５６５４号公報に記載のような、前面パネルに形成されている切れ目線で区画された開口部分が前面パネルから切り離されて開閉パネルの裏側に貼着して持ち去られ、前面パネルに大きな開口が形成されるタイプの薄型カートンにも適用可能である。
【００２３】
また、前面パネルの上部に設ける取出し用の開口は、内容物が取り出せさえすればその形状は任意であり、上記の例で示したような形状のほか、機能を考慮した種々のデザインのものが適用可能である。
【００２４】
また、開閉パネルは、前面パネルの開口を覆うサイズであればその形状は種々のデザインのものが適用可能であり、また、開閉パネルの先端に設ける突起部分とそれを囲む帯状の摘み部分は、突起部分が前面パネルの開口端縁に差込み可能で、摘み部分が指先で把持できさえすれば、角形、三角形等を始めとして任意の形状が可能である。
【００２５】
また、後面パネルに形成する横方向の折線からなるヒンジ部は、開閉パネルを回動した際に容易に折れ曲がりさえすればよく、ミシン目の他に、単なる折罫や、折罫の途中にミシン目を入れたリード罫のようなもので構成してもよい。
【産業上の利用可能性】
【００２６】
本発明の薄型カートンは、棒状のチョコレート、板ガムなどのスティック包装物を収納して販売するための包装容器に適用できる。特に、高齢者向けの商品を販売する際の包装容器として好適に利用することができる。
【符号の説明】
【００２７】
Ｃ  薄型カートン
Ｂ  ブランク
１１  前面パネル
１１ａ  開口
１２  側面パネル
１３  後面パネル
１４  側面パネル
１５  糊代片
１６  底面パネル
１７  差込みパネル
１８  天面パネル
１９  開閉パネル
１９ａ  突起部分
１９ｂ  摘み部分
２０  上側折込みフラップ
２１  下側折込みフラップ
２２  上側折込みフラップ
２３  下側折込みフラップ
α  ミシン目
β  切線
ａ〜ｋ  折罫
【図１】
0005598695.tif 000002
【図２】
0005598695.tif 000003
【図３】
0005598695.tif 000004
【図４】
0005598695.tif 000005